(57)【要約】【課題】原稿を読み取って真贋を判別する機能を備えた場合の装置の汎用性や操作性を向上することができる画像処理装置を提供する。【解決手段】複合機に、原稿のカラーコピー機能、カラープリンタ機能、カラースキャナ機能、ファクシミリ機能、原稿の真贋判別機能などを搭載し、各機能(モード)をモード選択ボタン（プリンタボタン５１、スキャナボタン５２、ファクシミリボタン５３、コピーボタン５４、真贋判別ボタン５９）によって切り替えられるように構成する。真贋判別専用の装置などに比べて、装置の汎用性が増して使い勝手が向上し、モードが適宜切り替えられるため装置の操作性が向上する。【選択図】図３
2010016437.tif 000002
【特許請求の範囲】
【請求項１】
原稿の画像を読み取って画像データを取得する画像読取部と、
前記画像読取部で取得された前記画像データの処理を行う処理部と、
前記画像読取部で画像を読み取った前記原稿の真贋判別を行う真贋判別部と、
当該画像処理装置の動作モードを、前記処理部により前記画像データの処理を行う処理モードまたは前記真贋判別部により前記原稿の真贋判別を行う真贋判別モードに切り替える制御部と、
を備える
ことを特徴とする画像処理装置。
【請求項２】
前記制御部は、ユーザから前記真贋判別モードの選択を受け付けた場合と、前記処理モードにおいて前記画像読取部で取得された前記画像データを解析し所定の条件を満足したと判断した場合とに、前記真贋判別モードへの切り替えを行う
ことを特徴とする請求項１に記載の画像処理装置。
【請求項３】
前記制御部は、ユーザから前記選択を受け付け前記切り替えを行った前記真贋判別モードにおいて、前記画像読取部で取得された前記画像データを解析し前記所定の条件を満足しないと判断した場合に、前記真贋判別モードを解除して前記処理モードへの切り替えを行う
ことを特徴とする請求項２に記載の画像処理装置。
【請求項４】
前記所定の条件は、前記画像読取部で連続して読み取られた前記原稿の画像が酷似している条件である
ことを特徴とする請求項２または３に記載の画像処理装置。
【請求項５】
ユーザによる手動操作で前記真贋判別モードの選択を受け付ける真贋判別モード選択ボタンを備える
ことを特徴とする請求項２乃至４のいずれか１つに記載の画像処理装置。
【請求項６】
前記制御部は、前記処理モードにおいて前記画像読取部で取得された前記画像データを解析し、前記画像読取部で連続して読み取られた前記原稿の画像が酷似していると判断した場合に、前記真贋判別モードへの切り替えを行う
ことを特徴とする請求項１に記載の画像処理装置。
【発明の詳細な説明】
【技術分野】
【０００１】
本発明は、原稿を読み取って原紙であるか複写物であるかといった真贋を判別する機能を備えた画像処理装置に関する。
【背景技術】
【０００２】
複写機のカラー化と高画質化によって、肉眼では原紙と複写物（複写された用紙）を見分けることが難しくなり、それらが混在したりすると原紙が分からなくなって困るようなことがある。そこで、このような原紙と複写物を判別する真贋判別技術が存在している。
【０００３】
たとえば、特許文献１には、朱肉で押印された帳票などの原稿に対し、原稿を読み取るために光源から原稿に照射して反射した光をカラー対応の受光素子で受光し、受光素子から出力されるカラー画像信号（ＲＧＢ信号）に基づいて印影画像を構成する画素の色を調べることにより真贋を判別する技術が開示されている。詳細には、印影画像が朱色の画素で構成されている場合は原紙であると判定し、複写印刷においてカラー画像を表現するために使用される複数の補色の画素、この場合は朱色を表現するマゼンタの画素とイエローの画素で構成されている場合は複写物であると判定するようにしている（「従来の技術」に記載）。さらに、原稿からの光をスペクトル分解して受光することにより、原稿の読み取り解像度を高くしなくても、単色の画素で構成されたカラー画像と複数の補色の画素で構成されたカラー画像とを識別できるようにして原稿の真贋判別を可能にする技術が開示されている（「発明の実施の形態」に記載）。
【０００４】
【特許文献１】特開２００２−２１８１５８号公報
【発明の開示】
【発明が解決しようとする課題】
【０００５】
しかしながら、上記のような真贋判別機能しか備えていない専用の装置では、汎用性に乏しく使い勝手が悪くなってしまう。またこの装置では、真贋判別機能を使用する際の操作性については考慮されていない。
【０００６】
本発明は、上記の問題を解決しようとするものであり、原稿を読み取って真贋を判別する機能を備えた場合の装置の汎用性や操作性を向上することができる画像処理装置を提供することを目的としている。
【課題を解決するための手段】
【０００７】
かかる目的を達成するための本発明の要旨とするところは、次の各項の発明に存する。
【０００８】
［１］原稿の画像を読み取って画像データを取得する画像読取部と、
前記画像読取部で取得された前記画像データの処理を行う処理部と、
前記画像読取部で画像を読み取った前記原稿の真贋判別を行う真贋判別部と、
当該画像処理装置の動作モードを、前記処理部により前記画像データの処理を行う処理モードまたは前記真贋判別部により前記原稿の真贋判別を行う真贋判別モードに切り替える制御部と、
を備える
ことを特徴とする画像処理装置。
【０００９】
上記発明では、画像処理装置は動作モードとして処理モードと真贋判別モードを備え、これらのモードが適宜切り替えられる。処理モードに切り替えられると、画像読取部が原稿の画像を読み取って画像データを取得し、処理部がその取得された画像データの処理を行うように動作する。処理部が行う画像データの処理には、たとえば、画像データに対応する画像を用紙に形成して出力する画像形成処理が含まれる。さらに、外部装置と通信して画像データを外部装置へ送信する送信処理や、画像データを装置内の記憶部に保存する保存処理や、画像データを外部装置に保存するために外部装置へ転送する転送処理などを含むようにしてもよい。真贋判別モードに切り替えられると、真贋判別部が画像読取部で画像を読み取った原稿の真贋判別を行うように動作する。
【００１０】
このように、原稿の画像を読み取って画像データの処理を行う処理モードと、原稿の画像を読み取って原稿の真贋判別を行う真贋判別モードとを備えることにより、装置の汎用性が向上する。また、モードが適宜切り替えられることにより、装置の操作性が向上する。
【００１１】
［２］前記制御部は、ユーザから前記真贋判別モードの選択を受け付けた場合と、前記処理モードにおいて前記画像読取部で取得された前記画像データを解析し所定の条件を満足したと判断した場合とに、前記真贋判別モードへの切り替えを行う
ことを特徴とする［１］に記載の画像処理装置。
【００１２】
上記発明では、ユーザの選択によって装置の動作モードを真贋判別モードに切り替えることができる。また、処理モードにおける原稿の画像読み取りで取得された画像データを解析し、所定の条件を満足していると判断すると、装置の動作モードを真贋判別モードに切り替える。たとえば、画像データを解析した結果、その原稿は真贋判別を行うために読み取りが行われたと判断できる場合などに、処理モードから真贋判別モードに切り替える。また、この切り替えは、ユーザに問い合わせて所定の操作を受けてから行う、もしくは、ユーザに報知してから自動的に行う、もしくは、ユーザに報知せずに自動的に行うなどが可能である。このように、真贋判別モードへの切り替えについては、ユーザの選択による切り替えと、処理モードからの自動的な切り替えとに対応することで、装置の利便性や操作性が向上する。また、たとえばユーザが誤って処理モードを選択したような場合でも、真贋判別モードへの切り替えを補助できるようになる。
【００１３】
［３］前記制御部は、ユーザから前記選択を受け付け前記切り替えを行った前記真贋判別モードにおいて、前記画像読取部で取得された前記画像データを解析し前記所定の条件を満足しないと判断した場合に、前記真贋判別モードを解除して前記処理モードへの切り替えを行う
ことを特徴とする［２］に記載の画像処理装置。
【００１４】
上記発明では、ユーザの選択によって切り替えられた真贋判別モードにおいて、原稿の画像読み取りで取得された画像データを解析し、所定の条件を満足していないと判断すると、真贋判別モードを解除して処理モードに切り替える。たとえば、画像データを解析した結果、その原稿は真贋判別を行うために読み取りが行われたのではないと判断できる場合などに、真贋判別モードから処理モードに切り替える。また、この切り替えは、ユーザに問い合わせて所定の操作を受けてから行う、もしくは、ユーザに報知してから自動的に行う、もしくは、ユーザに報知せずに自動的に行うなどが可能である。これにより、たとえばユーザが誤って真贋判別モードを選択したような場合でも、処理モードへの切り替えを補助できるようになる。
【００１５】
［４］前記所定の条件は、前記画像読取部で連続して読み取られた前記原稿の画像が酷似している条件である
ことを特徴とする［２］または［３］に記載の画像処理装置。
【００１６】
上記発明では、処理モードから真贋判別モードへの切り替えは、画像読取部で連続して読み取った原稿の画像が酷似していると判断したことを条件に行う。また、ユーザの選択による真贋判別モードから処理モードへの切り替えは、画像読取部で連続して読み取った原稿の画像が酷似していないと判断したことを条件に行う。
【００１７】
［５］ユーザによる手動操作で前記真贋判別モードの選択を受け付ける真贋判別モード選択ボタンを備える
ことを特徴とする［２］乃至［４］のいずれか１つに記載の画像処理装置。
【００１８】
上記発明では、画像処理装置に設けられた真贋判別モード選択ボタンをユーザが手動操作することにより、真贋判別モードを装置上で簡単に選択できるようになる。
【００１９】
［６］前記制御部は、前記処理モードにおいて前記画像読取部で取得された前記画像データを解析し、前記画像読取部で連続して読み取られた前記原稿の画像が酷似していると判断した場合に、前記真贋判別モードへの切り替えを行う
ことを特徴とする［１］に記載の画像処理装置。
【００２０】
上記発明では、処理モードにおける原稿の画像読み取りで取得された画像データを解析し、画像読取部で連続して読み取った原稿の画像が酷似していると判断すると、装置の動作モードを真贋判別モードに切り替える。この切り替えは、たとえば、ユーザに問い合わせて所定の操作を受けてから行う、もしくは、ユーザに報知してから自動的に行う、もしくは、ユーザに報知せずに自動的に行うなどが可能である。このように、処理モードから真贋判別モードへの自動的な切り替えに対応することで、装置の利便性や操作性が向上する。
【発明の効果】
【００２１】
本発明の画像処理装置によれば、原稿を読み取って真贋を判別する機能を備えた場合の装置の汎用性や操作性を向上できるようになる。
【発明を実施するための最良の形態】
【００２２】
以下、図面に基づき本発明の実施の形態を説明する。
【００２３】
図１は、本発明の実施の形態に係る複合機（ＭＦＰ；Multi Function Peripheral/Multi Function Printer）１０の概略構成を示している。複合機１０は、原稿のカラーコピー機能、カラープリンタ機能、カラースキャナ機能、ファクシミリ機能、電子メール機能（メール送受信機能）、ファイル転送機能、ＢＯＸ機能、原稿の真贋判別機能などを備えたデジタルカラー複合機と呼ばれる装置（画像処理装置）である。
【００２４】
ファクシミリ機能としては、スキャンデータなどを公衆回線を通じてファクシミリ送受信するほかに、電子メールに添付してインターネットを通じて送受信するインターネットファクシミリ機能（Ｉ−Ｆａｘ機能）などを備えている。ファイル転送機能としては、スキャンデータを電子メールに添付して転送するScan to E-mail機能、スキャンデータをクライアント端末に転送して保存するScan to ＳＭＢ（Server Message Block）機能、スキャンデータをＦＴＰ（File Transfer Protocol）サーバに転送して保存するScan to ＦＴＰ機能などを備えている。ＢＯＸ機能におけるＢＯＸとは、ユーザ別やグループ別、テーマ別などにカテゴリ分けして設けられたファイルの格納場所である。ＢＯＸ機能は、スキャンデータなどのファイルをこのＢＯＸ毎に保存して管理する機能である（Scan to ＢＯＸ機能）。
【００２５】
原稿の真贋判別機能とは、スキャナ機能を用いて原稿を読み取りその原稿が原紙であるか複写物であるかを判別する機能である。この原紙と複写物の区別は、真贋判別の方法などに依存している。たとえば、原稿をスキャンして得られた画像データに基づき、単色の画素で構成されたカラー画像と、イエロー、マゼンタ、シアンなどの複数の補色の画素で構成されたカラー画像とを識別して真贋判別を行う方法を用いるのであれば、前者のカラー画像を含む原稿を「原紙」、後者のカラー画像を含む原稿を「複写物」に区別した真贋判別を行うことができる。この場合の原紙としては、たとえばカラーの塗料で形成されたカラー画像を含む原稿（用紙）などが挙げられる。具体的には、手書きや印刷（複写印刷を含む）による文書などに朱肉で印章が押された書類、色彩画、色彩版画などがこの場合の原紙に含まれる。またこの場合の複写物としては、上記の原紙をカラー複写機などによってカラーで複写印刷した原稿（用紙）などが挙げられる。
【００２６】
複合機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６（図中、ＨＤＤ；Hard Disk Driveと表記）と、操作表示部１７と、ファクシミリ通信部１８と、ネットワーク通信部１９と、原稿送り装置制御部２０と、スキャナ部２１と、画像処理部２２と、プリンタ部２３とを接続して構成される。
【００２７】
ＣＰＵ１１は、ＲＯＭ１３に格納されているプログラムに基づいて複合機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。
【００２８】
不揮発メモリ１５は、電源がオフされても記憶が保持されるメモリであり、装置固有の情報や各種の設定情報などが記憶される。ハードディスク装置１６は、複合機１０を動作させるオペレーティングシステム（Operating System；ＯＳ）や複合機１０の各種機能を動作させるアプリケーションプログラム、各種の保存データなどを格納するほか、原稿のスキャンやコピーにおける画像データ、図示しないパーソナルコンピュータなどの端末から依頼された印刷における画像データ（印刷データ）なども保存する。
【００２９】
操作表示部１７は、各種の画面を表示する表示部としての機能と、ユーザなどが複合機１０に対して行う各種の操作を受け付ける操作部としての機能とを果たす。ここでは、操作表示部１７は液晶ディスプレイとその画面上に設けられたタッチパネル（以下では「タッチパネルディスプレイ」と呼ぶ）と、各種のボタン類とで構成される。
【００３０】
ファクシミリ通信部１８は、ファクシミリ機能を備えた外部装置と公衆回線を通じて通信する機能を果たす。ネットワーク通信部１９は、パーソナルコンピュータなどの端末やサーバなどとＬＡＮ（Local Area Network）などのネットワークを通じて通信する機能を果たす。ネットワーク通信部１９による通信には、インターネットファクシミリ機能による電子メールの送受信やファイル転送機能（Scan to ＸＸＸ機能）によるスキャンデータの転送などが含まれる。原稿送り装置制御部２０は、後述する自動原稿送り装置（Auto Document Feeder；ＡＤＦ）の動作を制御する機能を果たす。
【００３１】
スキャナ部２１は、原稿を光学的に読み取ってカラーの画像データを取得する機能を果たす。詳細には、原稿の画像を光学的に読み取り、イエロー（Yellow；Ｙ）、マゼンタ（Magenta；Ｍ）、シアン（Cyan；Ｃ）、ブラック（blacK；Ｋ）の４つの基本色について色別の画像データを出力する機能を備えている。このうち、イエロー、マゼンタ、シアンがカラー画像を表現する３つの補色となる。スキャナ部２１は、たとえば、原稿に光を照射する光源と、原稿からの反射光を受光して原稿を幅方向に１ライン分読み取るカラータイプのイメージセンサと、原稿からの反射光をイメージセンサに導いて結像させるレンズやミラーからなる光学経路などで構成される。画像処理部２２は画像データに対して、画像補正、回転、拡大／縮小、圧縮／伸張など各種の画像処理を施す機能を果たす。
【００３２】
プリンタ部２３は、入力された画像データに対応する画像を用紙にカラーで印刷して出力する機能を果たす。たとえば、用紙の搬送装置と、感光体ドラムと、帯電装置と、レーザーユニットと、現像装置と、転写分離装置と、クリーニング装置と、定着装置などを備え、電子写真プロセスによって用紙上にカラー画像を形成するカラーレーザープリンタなどとして構成される。
【００３３】
ＣＰＵ１１はプログラムを実行することで、複合機１０の動作モードをユーザによって選択されたプリンタモード、スキャナモード、ファクシミリモード、コピーモード、真贋判別モードなどに切り替え、そのモードで複合機１０を動作させる機能を果たす。また真贋判別モードでは、スキャナ部２１で画像を読み取った原稿の真贋判別を行う真贋判別部としての機能を果たす。原稿の真贋判別、すなわち、原稿が原紙であるか複写物であるかの判別については、「背景技術」に記載したようなカラー画像を構成する画素の色を分析して行うなどの既存の各種の技術を用いることができる。
【００３４】
また、ＣＰＵ１１はプログラムを実行することで、ユーザによって選択された真贋判別モードにおいて、スキャナ部２１で取得された原稿の画像データを解析し、スキャナ部２１で連続して読み取られた原稿の画像が酷似していないと判断した場合に、ユーザにコピーモードへの切り替えを問い合わせて了解が得られればその切り替えを行う機能と、ユーザによって選択されたコピーモードにおいて、スキャナ部２１で取得された原稿の画像データを解析し、スキャナ部２１で連続して読み取られた原稿の画像が酷似していると判断した場合に、ユーザに真贋判別モードへの切り替えを問い合わせて了解が得られればその切り替えを行う機能とを果たす。
【００３５】
この両モードの間で切り替えを行う機能は、ユーザによる両モード間での切り替え操作をアシスト（補助）する機能である。詳細には、ユーザによって選択された真贋判別モードにおいて、連続して読み取った原稿の画像データを解析した結果、真贋判別モードで処理すべき原稿ではないと判断した場合に、ユーザに対してコピーモードへの切り替えをアシストし、ユーザによって選択されたコピーモードにおいて、連続して読み取った原稿の画像データを解析した結果、コピーモードで処理すべき原稿ではないと判断した場合に、ユーザに対して真贋判別モードへの切り替えをアシストする機能である。本機能は、以下では「モード切替アシスト機能」と言う。
【００３６】
また、画像が酷似しているか否かの判断は、たとえば、画像データの類似度を算出する汎用のアルゴリズムを用いて対象となる複数の画像データの類似度を算出し、類似度が所定の閾値未満の画像データ同士は画像が酷似していないと判断し、類似度が所定の閾値以上の画像データ同士は画像が酷似していると判断するなどにより行う。
【００３７】
操作表示部１７には、上述したプリンタモード、スキャナモード、ファクシミリモード、コピーモードの選択を受け付けるそれぞれのモード選択ボタン（ハードボタン）のほかに、真贋判別モードの選択を受け付ける真贋判別ボタン（原紙判別ボタン）が設けられている。真贋判別ボタンは、操作表示部１７のタッチパネルディスプレイに表示したソフトボタンとして設けてもよく、操作表示部１７にハードボタンとして設けてもよい。
【００３８】
図２は、操作表示部１７に真贋判別ボタンをソフトボタンとして設けた場合の一例を示している。操作表示部１７は、タッチパネルディスプレイ５０と、各種のハードボタンとを備えている。ハードボタンは、プリンタモードの選択を受け付けるプリンタボタン５１と、スキャナモードの選択を受け付けるスキャナボタン５２と、ファクシミリモードの選択を受け付けるファクシミリボタン５３と、コピーモードの選択を受け付けるコピーボタン５４と、スタートボタン５５などである。ここでは、スキャナボタン５２の押下によってスキャナモードが選択されると、タッチパネルディスプレイ５０にはソフトボタンとして、Scan to E-mailモードの選択を受け付けるScan to E-mailボタン５６と、Scan to ＦＴＰモードの選択を受け付けるScan to ＦＴＰボタン５７と、Scan to ＢＯＸモードの選択を受け付けるScan to ＢＯＸボタン５８と、真贋判別ボタン５９が表示される。この真贋判別ボタン５９が押下されると、複合機１０は真贋判別モードに切り替わる。
【００３９】
図３は、操作表示部１７に真贋判別ボタンをハードボタンとして設けた場合の一例を示している。この操作表示部１７は、図２で説明したモード選択ボタン（５１〜５３）に、真贋判別モードの選択を受け付ける真贋判別ボタン５９がハードボタンとして追加されている。本例の場合も、この真贋判別ボタン５９が押下されると、複合機１０は真贋判別モードに切り替わる。
【００４０】
図４は、複合機１０が備える自動原稿送り装置７０（ＡＤＦ）の構成例を示している。
【００４１】
自動原稿送り装置７０は、スキャナ部２１による読取位置Ｓに原稿Ｎを自動で送り込む機能を果たす。自動原稿送り装置７０は、原稿Ｎが積載される原稿トレイ７１と、原稿トレイ７１に積載された原稿Ｎをスキャナ部２１の読取位置Ｓに案内し排出するための搬送通路７２と、原稿トレイ７１に積載された原稿Ｎをピックアップするピックアップローラ（給紙ローラ）７３と、ピックアップされた原稿Ｎを１枚ずつ送り出す一対のフィードローラ７４およびリタードローラ７５と、送り出された原稿Ｎを搬送通路７２に沿って搬送する複数対の搬送ローラ７６と、原稿Ｎを搬送通路７２から排出する一対の排出ローラ７７と、原稿送り装置制御部２０に制御されて各ローラを回転駆動する図示しない複数のモータと、原稿Ｎを検知しその検知信号を原稿送り装置制御部２０に入力する複数の原稿検知センサ７８と、スキャナ部２１による読み取りの済んだ原稿Ｎが搬送通路７２から排出ローラ７７によって排出される排出トレイ７９とを備えている。
【００４２】
自動原稿送り装置７０は、原稿送り装置制御部２０に制御されて、ピックアップローラ７３が所定方向へ回転され、原稿トレイ７１に積載された原稿Ｎをピックアップしてフィードローラ７４とリタードローラ７５の間に送り込む。フィードローラ７４およびリタードローラ７５は、重なり合って送り込まれた複数枚の原稿Ｎに対し、リタードローラ７５がピックアップローラ７３と逆方向に回転して下側の原稿Ｎの送り出しを抑えつつ、フィードローラ７４がピックアップローラ７３と同方向に回転して一番上の１枚の原稿Ｎのみを搬送通路７２に送り出す。搬送ローラ７６は、送り出された原稿Ｎを搬送通路７２に沿ってスキャナ部２１の読取位置Ｓに送り込み、読取位置Ｓを通過させる。排出ローラ７７は、スキャナ部２１による読み取りが済んだ原稿Ｎを搬送通路７２から排出トレイ７９に排出する。また、排出する原稿Ｎの位置を原稿検知センサ７８によって検知することにより、次の原稿Ｎの送り出しタイミングなどが制御されるようになっている。
【００４３】
次に、複合機１０が行う処理の内容（モード切替制御）を図５〜図７に示すフローチャートに基づいて説明する。
【００４４】
図５は、複合機１０が行うメイン処理を示している。ＣＰＵ１１は、本メイン処理を開始すると（Ｓｔａｒｔ）、操作表示部１７におけるモード選択ボタン（図２および図３参照）の押下を監視する（ステップＳ１０１；Ｎｏ〜ステップＳ１０１のループ）。モード選択ボタンの押下を受け付け（ステップＳ１０１；Ｙｅｓ）、それが真贋判別ボタンである場合には（ステップＳ１０２；Ｙｅｓ）、ＣＰＵ１１は、自動原稿送り装置７０の原稿トレイ７１（図４参照）に原稿がセットされているかを確認する（ステップＳ１０３）。原稿セットの確認は、原稿トレイ７１に設けられた原稿検知センサ７８から入力される検知信号に基づいて原稿送り装置制御部２０が原稿トレイ７１上の原稿の有無を把握しており、この通知を原稿送り装置制御部２０からＣＰＵ１１が受けることで行う。
【００４５】
原稿がセットされていない場合には（ステップＳ１０３；Ｎｏ）、ＣＰＵ１１は、自動原稿送り装置７０に原稿がセットされていない旨のエラーメッセージを操作表示部１７に表示し（ステップＳ１０４）、ステップＳ１０１に戻る。原稿がセットされている場合には（ステップＳ１０３；Ｙｅｓ）、ＣＰＵ１１は、複合機１０を真贋判別モードで動作させる。そして、自動原稿送り装置７０にセットされている原稿に対する真贋判別処理をサブルーチンで実行し（ステップＳ１０５）、真贋判別処理を終えると本メイン処理を終了する（Ｅｎｄ）。
【００４６】
また、押下されたモード選択ボタンが真贋判別ボタンではなく（ステップＳ１０２；Ｎｏ）、コピーボタンである場合には（ステップＳ１０６；Ｙｅｓ）、ＣＰＵ１１は、複合機１０をコピーモードで動作させる。なお、この場合もステップＳ１０３と同様の原稿セットの確認を行い、原稿がセットされていない場合には、ステップＳ１０４と同様のエラーメッセージの表示を行ってステップＳ１０１に戻り、原稿がセットされている場合に、複合機１０をコピーモードで動作させるようにしてもよい。コピーモードでは、自動原稿送り装置７０にセットされている原稿に対するコピー処理をサブルーチンで実行する（ステップＳ１０７）。そして、コピー処理を終えると本メイン処理を終了する（Ｅｎｄ）。
【００４７】
また、押下されたモード選択ボタンがコピーボタンでもない場合には（ステップＳ１０６；Ｎｏ）、ＣＰＵ１１は、複合機１０を選択されたモードで動作させる。そして、選択されたモードによる処理をサブルーチンで実行し（ステップＳ１０８）、この選択モード処理を終えると本メイン処理を終了する（Ｅｎｄ）。
【００４８】
図６は、上記のメイン処理におけるサブ処理となる真贋判別処理を示しており、図７は、上記のメイン処理におけるサブ処理となるコピー処理を示している。真贋判別処理は、メイン処理から直接移行して実行される場合と、コピー処理の途中で、連続してスキャンした原稿の画像が酷似していると判断された際に、モード切替アシスト機能によってコピーモードから真贋判別モードに切り替えられて実行される場合とがある。コピー処理は、メイン処理から直接移行して実行される場合と、真贋判別処理の途中で、連続してスキャンした原稿の画像が酷似していないと判断された際に、モード切替アシスト機能によって真贋判別モードからコピーモードに切り替えられて実行される場合とがある。
【００４９】
ここでは、先ず真贋判別処理の基本的な流れを説明し、次にコピー処理の流れを説明し、最後にコピーモードから真贋判別モードに切り替えられたときの真贋判別処理の流れを説明する。また、途中で図８に示す自動原稿送り装置７０の動作例や、図９および図１０に示す操作表示部１７の表示画面例を交えながら説明する。
【００５０】
［真贋判別処理の基本的な流れ］
ＣＰＵ１１は、図６に示す真贋判別処理を開始すると、モード切替アシスト機能によるコピーモードから真贋判別モードへの切り替えによって本サブ処理（真贋判別処理）を開始したかを確認する（ステップＳ１１１）。コピーモードにおけるコピー処理からの移行ではなく、メイン処理から直接移行して開始した場合には（ステップＳ１１１；Ｎｏ）、ＣＰＵ１１は、ユーザによるスタートボタン５５（図２および図３参照）の押下を受け付けると、原稿送り装置制御部２０を通じて、図８（Ａ）に示すように、自動原稿送り装置７０により原稿を給紙し、スキャナ部２１による原稿のスキャンを開始する（ステップＳ１１２）。続いてＣＰＵ１１は、スキャナ部２１から出力される原稿の画像データに基づいて原稿の真贋を判別する（ステップＳ１１３）。また、この画像データを不揮発メモリ１５またはハードディスク装置１６に記憶する。
【００５１】
原稿の真贋判別によって原紙を検知した場合には（ステップＳ１１５；Ｙｅｓ）、ＣＰＵ１１は、原稿送り装置制御部２０に対して自動原稿送り装置７０による原稿の給紙動作を停止させる指令を出す（ステップＳ１１６）。この指令を受けた原稿送り装置制御部２０は、自動原稿送り装置７０を制御して次の原稿の給紙を停止させる。
【００５２】
検知された原紙については、排紙するようにしてもよく、排紙の途中で停止させるようにしてもよい。なお、途中で停止させるように制御する場合でも、原紙の排出位置と停止制御のタイミングなどによっては途中で停止できずに排紙されてしまうことも起こり得る。原稿送り装置制御部２０は、原稿検知センサ７８から入力される検知信号に基づいて原紙の位置を確認し、ＣＰＵ１１に通知する。
【００５３】
たとえば、図８（Ｂ）に示すように、原紙が排出ローラ７７に挟まれた状態で停止し、完全に排紙されていない場合には（ステップＳ１１７；Ｎｏ）、ＣＰＵ１１は、原稿送り装置制御部２０からその通知を受け、自動原稿送り装置７０に挟まれている原稿が原紙である旨を操作表示部１７に表示したり、図示しないスピーカにより音声で出力したりして報知する（ステップＳ１１８）。
【００５４】
原紙の位置を操作表示部１７に表示して報知する場合には、図９に示すように、タッチパネルディスプレイ５０に原紙の位置を報知するメッセージ６０を表示し、更に確認ボタン６１を表示する（ステップＳ１１９）。メッセージ６０は、図示のように、「現在ＡＤＦに挟まっている原稿が原紙です！」などの原紙の位置を知らせるメッセージの他に、「確認ボタンを押すと原紙が排紙されます。」などの原紙の排紙方法に関するメッセージと、「（原紙とコピーが混ざらないよう  既に排紙されている紙を取り除いてから「確認」ボタンを押すことをお勧めします。）」などの原紙を排紙する際に推奨する操作手順に関するメッセージなどを含んだものである。
【００５５】
続いてＣＰＵ１１は、確認ボタン６１の押下、または、手動による原紙の取り出しの検知を監視する（ステップＳ１２０；Ｎｏ〜ステップＳ１２１；Ｎｏ〜ステップＳ１２０のループ）。確認ボタン６１が押下された場合には（ステップＳ１２０；Ｙｅｓ）、原稿送り装置制御部２０に対して原紙を排紙させる指令を出し（ステップＳ１２２）、ステップＳ１２４へ移行する。この指令を受けた原稿送り装置制御部２０は、自動原稿送り装置７０を制御して排出ローラ７７を回転させ、排出ローラ７７に挟まれている原紙を排出トレイ７９に排紙させる。手動による原紙の取り出しを検知した場合には（ステップＳ１２１；Ｙｅｓ）、ステップＳ１２４へ移行する。
【００５６】
原紙が排出トレイ７９に排紙されている場合には（ステップＳ１１７；Ｙｅｓ）、ＣＰＵ１１は、原稿送り装置制御部２０からその通知を受け、排紙済みの一番上の原稿が原紙である旨を操作表示部１７に表示したり、図示しないスピーカにより音声で出力したりして報知し（ステップＳ１２３）、ステップＳ１２４へ移行する。原紙の位置を操作表示部１７に表示して報知する場合には、図１０に示すように、タッチパネルディスプレイ５０に原紙の位置を報知するメッセージ６２を表示する。メッセージ６２は、たとえば図示のような、「原紙が発見されました！」、「排紙されている中で一番上の紙が原紙です。」などである。
【００５７】
続いてＣＰＵ１１は、自動原稿送り装置７０の原稿トレイ７１に原稿が残っているかを確認する（ステップＳ１２４）。残原稿の確認は、前述した原稿セットの確認と同様に、原稿トレイ７１に設けられた原稿検知センサ７８から入力される検知信号に基づいて原稿送り装置制御部２０が原稿トレイ７１上の原稿の有無を把握しており、この通知を原稿送り装置制御部２０からＣＰＵ１１が受けることで行う。
【００５８】
原稿が残っている場合には、図１０に例示した画面（タッチパネルディスプレイ５０）では、続行ボタン６３と終了ボタン６４も併せて表示する。さらにメッセージ６２には、「ＡＤＦに原稿が残っています。続けて原紙の検索を行う場合は「続行」ボタンを押してください。」などの原稿が残っていることを知らせたり、次の操作手順を説明したりするメッセージを追加する。また、図９に例示した画面の場合は、原紙の排紙後に、図１０に例示した続行ボタン６３と終了ボタン６４、および、上記の追加メッセージなどを表示した画面に切り替えるようにしてもよい。
【００５９】
自動原稿送り装置７０の原稿トレイ７１に原稿が残っていない場合には（ステップＳ１２４；Ｎｏ）、本サブ処理を終了してメイン処理に戻る（Ｒｅｔｕｒｎ）。原稿が残ってはいるが（ステップＳ１２４；Ｙｅｓ）、図１０に例示したような終了ボタン６４が押下された場合にも（ステップＳ１２５；Ｎｏ）、本サブ処理を終了してメイン処理に戻る（Ｒｅｔｕｒｎ）。図１０に例示したような続行ボタン６３が押下された場合には（ステップＳ１２５；Ｙｅｓ）、ステップ１１２へ戻り、次の原稿の給紙とスキャン（ステップＳ１１２）、真贋判別（ステップＳ１１３）、およびそれ以降の処理ステップ（ステップＳ１１５〜）を同様に行う。
【００６０】
また、原稿の真贋判別によって原紙を検知せず（ステップＳ１１５；Ｎｏ）、自動原稿送り装置７０の原稿トレイ７１に原稿が残っていない場合には（ステップＳ１２６；Ｎｏ）、ＣＰＵ１１は、原紙を検知しなかった旨を操作表示部１７に表示したり、図示しないスピーカにより音声で出力したりして報知し（ステップＳ１３４）、本サブ処理を終了してメイン処理に戻る（Ｒｅｔｕｒｎ）。ここで、残りの原稿に対して真贋判別を行い原紙を検知しなかった場合（ステップＳ１２５→ステップＳ１１２→  ・・・  →ステップＳ１２６→ステップＳ１３４の流れの場合）も同様に、残りの原稿の中から原紙を検知しなかった旨の報知を行い、本サブ処理を終了してメイン処理に戻る。
【００６１】
原稿が残っている場合には（ステップＳ１２６；Ｙｅｓ）、真贋判別モードからコピーモードへの切替アシスト機能による処理ステップへ移行する。ＣＰＵ１１は、先ず、コピーモードから真贋判別モードへの切り替えによって本サブ処理（真贋判別処理）を実行しているかを確認する（ステップＳ１２７）。コピーモードからの切り替えである場合には（ステップＳ１２７；Ｙｅｓ）、モード切替アシスト機能による処理ステップを抜けてステップ１１２へ戻り、原稿送り装置制御部２０を通じて自動原稿送り装置７０による次の原稿の給紙を行う。コピーモードからの切り替えでない場合には（ステップＳ１２７；Ｎｏ）、ＣＰＵ１１は、今回スキャンして真贋判別を行った原稿がスキャンを開始してから１枚目の原稿であるかを確認する（ステップＳ１２８）。
【００６２】
スキャン開始から１枚目の原稿である場合には（ステップＳ１２８；Ｙｅｓ）、モード切替アシスト機能による処理ステップを抜けてステップ１１２へ戻り、原稿送り装置制御部２０を通じて自動原稿送り装置７０による次の原稿の給紙を行う。２枚目以降の原稿である場合には（ステップＳ１２８；Ｎｏ）、ＣＰＵ１１は、今回の原稿の画像が前ページの原稿の画像と酷似するかを確認する（ステップＳ１２９）。この画像が酷似するかの確認は、前述したように、汎用のアルゴリズムを用いて対象となる２つの原稿の画像データの類似度を算出し、類似度が所定の閾値未満であれば画像が酷似していないと判断し、類似度が所定の閾値以上であれば画像が酷似していると判断するなどにより行う。
【００６３】
画像が酷似している場合には（ステップＳ１２９；Ｙｅｓ）、モード切替アシスト機能による処理ステップを抜けてステップ１１２へ戻り、原稿送り装置制御部２０を通じて自動原稿送り装置７０による次の原稿の給紙を行う。画像が酷似していない場合には（ステップＳ１２９；Ｎｏ）、ＣＰＵ１１は、今回実行している真贋判別処理において、以前に真贋判別モードからコピーモードへの切り替えが拒否されたかを確認する（ステップＳ１３０）。
【００６４】
コピーモードへの切り替えが拒否されている場合には（ステップＳ１３０；Ｙｅｓ）、モード切替アシスト機能による処理ステップを抜けてステップ１１２へ戻り、原稿送り装置制御部２０を通じて自動原稿送り装置７０による次の原稿の給紙を行う。コピーモードへの切り替えが拒否されていない場合には（ステップＳ１３０；Ｎｏ）、ＣＰＵ１１は、原稿送り装置制御部２０を通じて自動原稿送り装置７０による次の原稿の給紙を一時停止させ、ユーザに対してコピーモードへの切り替え確認を行う（ステップＳ１３１）。このコピーモードへの切り替え確認は、その旨を操作表示部１７に表示したり、図示しないスピーカにより音声で出力したりするなどにより行う。
【００６５】
ユーザからコピーモードへの切り替え操作を受け付けず、切り替えを拒否された場合には（ステップＳ１３２；Ｎｏ）、モード切替アシスト機能による処理ステップを抜けてステップ１１２へ戻り、原稿送り装置制御部２０を通じて自動原稿送り装置７０による次の原稿の給紙を行う。操作表示部１７のコピーボタン５４（図３参照）がユーザによって押下されるなどにより、コピーモードへの切り替え操作を受け付けた場合には、ＣＰＵ１１は、複合機１０を真贋判別モードからコピーモードに切り替え、図７に示すコピー処理へ移行する（ステップＳ１３３）。また、このモードの切り替え時には、原稿の給紙動作が一時停止した状態となっている。以上が、真贋判別処理の基本的な流れである。
【００６６】
［コピー処理の流れ］
ＣＰＵ１１は、図７に示すコピー処理を開始すると、モード切替アシスト機能による真贋判別モードからコピーモードへの切り替えによって本サブ処理（コピー処理）を開始したかを確認する（ステップＳ１４１）。真贋判別モードにおける真贋判別処理からの移行ではなく、メイン処理から直接移行して開始した場合には（ステップＳ１４１；Ｎｏ）、ＣＰＵ１１は、ユーザによるスタートボタン５５（図２および図３参照）の押下を受け付けると、原稿送り装置制御部２０を通じて自動原稿送り装置７０により原稿を給紙し、スキャナ部２１による原稿のスキャンを開始する（ステップＳ１４２（図８（Ａ）参照））。続いてＣＰＵ１１は、スキャナ部２１から出力される原稿の画像データを不揮発メモリ１５またはハードディスク装置１６に記憶し、コピーモードから真贋判別モードへの切替アシスト機能による処理ステップへ移行する。
【００６７】
ＣＰＵ１１は、先ず、今回スキャンを行った原稿がスキャンを開始してから１枚目の原稿であるかを確認する。スキャン開始から１枚目の原稿である場合には（ステップＳ１４３；Ｙｅｓ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。２枚目以降の原稿である場合には（ステップＳ１４３；Ｎｏ）、ＣＰＵ１１は、今回スキャンを行った原稿の画像が前ページの原稿の画像と酷似するかを確認する（ステップＳ１４４）。
【００６８】
画像が酷似していない場合には（ステップＳ１４４；Ｎｏ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。画像が酷似している場合には（ステップＳ１４４；Ｙｅｓ）、ＣＰＵ１１は、今回実行しているコピー処理において、以前にコピーモードから真贋判別モードへの切り替えが拒否されたかを確認する（ステップＳ１４５）。
【００６９】
真贋判別モードへの切り替えが拒否されている場合には（ステップＳ１４５；Ｙｅｓ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。真贋判別モードへの切り替えが拒否されていない場合には（ステップＳ１４５；Ｎｏ）、ＣＰＵ１１は、原稿送り装置制御部２０を通じて自動原稿送り装置７０による次の原稿の給紙を一時停止させ、ユーザに対して真贋判別モードへの切り替え確認を行う（ステップＳ１４６）。この真贋判別モードへの切り替え確認は、その旨を操作表示部１７に表示したり、図示しないスピーカにより音声で出力したりするなどにより行う。
【００７０】
ユーザから真贋判別モードへの切り替え操作を受け付けず、切り替えを拒否された場合には（ステップＳ１４７；Ｎｏ）、モード切替アシスト機能による処理ステップを抜けて、ＣＰＵ１１はこの原稿の画像データに対応する画像の印刷をプリンタ部２３に実行させ（ステップＳ１４９）、ステップＳ１５０へ移行する。操作表示部１７の真贋判別ボタン５９（図３参照）がユーザによって押下されるなどにより、真贋判別モードへの切り替え操作を受け付けた場合には（ステップＳ１４７；Ｙｅｓ）、ＣＰＵ１１は、複合機１０をコピーモードから真贋判別モードに切り替え、前述した図６に示す真贋判別処理へ移行する（ステップＳ１４８）。また、このモードの切り替え時には、原稿の給紙動作が一時停止した状態となっている。
【００７１】
ステップＳ１５０では、ＣＰＵ１１は、自動原稿送り装置７０の原稿トレイ７１に原稿が残っているかを確認する。原稿が残っている場合には（ステップＳ１５０；Ｙｅｓ）、ステップＳ１４２へ戻り、次の原稿の給紙とスキャン（ステップＳ１４２）、およびそれ以降の処理ステップ（ステップＳ１４３〜）を同様に行う。原稿が残っていない場合には（ステップＳ１５０；Ｎｏ）、本サブ処理を終了してメイン処理に戻る（Ｒｅｔｕｒｎ）。
【００７２】
また、今回のコピー処理をメイン処理からの移行ではなく、モード切替アシスト機能による真贋判別モードからコピーモードへの切り替えにより真贋判別処理から移行して開始した場合には（ステップＳ１４１；Ｙｅｓ）、移行前の真贋判別処理で既にスキャンが行われている原稿が存在しており、スキャン済みの原稿の画像データが不揮発メモリ１５またはハードディスク装置１６に記憶されている。ＣＰＵ１１は、この不揮発メモリ１５またはハードディスク装置１６に記憶されているスキャン済み原稿の画像データに対応する画像の印刷をプリンタ部２３に実行させ（ステップＳ１４９）、自動原稿送り装置７０の原稿トレイ７１に原稿が残っているかを確認する（ステップＳ１５０）。
【００７３】
モード切替アシスト機能による真贋判別モードからコピーモードへの切り替えは、図６のステップＳ１２６〜ステップＳ１３３で説明したように、原稿が残っている状態で行われるため、ここでは原稿が残っていることが確認される（ステップＳ１５０；Ｙｅｓ）。続いてＣＰＵ１１は、真贋判別モードからコピーモードへの切り替え時に一時停止した原稿の給紙動作を再開し（ステップＳ１４２）、次の原稿の給紙とスキャンを行って画像データを取得し、不揮発メモリ１５またはハードディスク装置１６に記憶する。また、モード切替アシスト機能による真贋判別モードからコピーモードへの切り替えによってコピー処理を実行している場合には、ステップＳ１４２の次にステップＳ１４３へは移行せず、図示しない流れでステップＳ１４９へ移行し、今回スキャンした原稿の画像データに対応する画像の印刷をプリンタ部２３に実行させ（ステップＳ１４９）、ステップＳ１５０へ移行する。そして原稿がなくなるまで（ステップＳ１５０；Ｙｅｓ）、次の原稿の給紙とスキャン（ステップＳ１４２）、および印刷（ステップＳ１４９）を同様に繰り返す。原稿がなくなると（ステップＳ１５０；Ｎｏ）、本サブ処理を終了してメイン処理に戻る（Ｒｅｔｕｒｎ）。以上が、コピー処理の流れである。
【００７４】
［モード切り替え時の真贋判別処理の流れ］
図６に示す真贋判別処理において、今回の真贋判別処理をメイン処理からの移行ではなく、モード切替アシスト機能によるコピーモードから真贋判別モードへの切り替えによりコピー処理から移行して開始した場合には（ステップＳ１１１；Ｙｅｓ）、移行前のコピー処理で既にスキャンが行われている原稿が存在しており、スキャン済みの原稿の画像データが不揮発メモリ１５またはハードディスク装置１６に記憶されている。ＣＰＵ１１は、この不揮発メモリ１５またはハードディスク装置１６に記憶されているスキャン済み原稿の画像データに基づいて、そのスキャン済み原稿の真贋を判別する（ステップＳ１１４）。
【００７５】
たとえば、移行前のコピー処理でスキャン開始の１枚目と２枚目の原稿の画像が酷似していた場合のモード切り替えでは、その１枚目と２枚目の原稿の各画像データが記憶されている。また、移行前のコピー処理でスキャン開始の１枚目と２枚目、２枚目と３枚目の原稿の画像は酷似しておらず、３枚目と４枚目の原稿の画像が酷似していた場合のモード切り替えでは、その１枚目〜４枚目までの原稿の各画像データが記憶されている。このように、スキャン済み原稿の画像データとしては、少なくとも、画像が酷似している連続した２枚の原稿の各画像データを含む、複数の画像データが記憶されている。これに対し、スキャン済み原稿の真贋判別は、画像が酷似している連続した２枚の原稿のみを対象に行うようにしてもよく、全ての原稿を対象に行うようにしてもよい。全ての原稿を対象にする場合には、画像が酷似している連続した２枚の原稿の真贋判別、詳細には、その２枚のうちのいずれが原紙でいずれが複写物か、もしくは、２枚とも原紙であるか、もしくは、２枚とも複写物であるかといった判別に加えて、それ以外の原稿に対するそれぞれの真贋判別、すなわち、それ以外の原稿がそれぞれ原紙であるか複写物であるかといった判別が行われるようになる。
【００７６】
スキャン済み原稿に対する真贋判別によって原紙を検知した場合には（ステップＳ１１５；Ｙｅｓ）、ステップＳ１１６へ移行する。モード切替アシスト機能によるコピーモードから真贋判別モードへの切り替えは、原稿の給紙動作が一時停止した状態で行われており、ここでＣＰＵ１１は、原稿の給紙動作の一時停止状態を継続する（ステップＳ１１６）。またこの場合は、検知した原紙は既に自動原稿送り装置７０の排出トレイ７９に排紙されている（ステップＳ１１７；Ｙｅｓ）。ＣＰＵ１１は、その排紙済みの原紙の位置を操作表示部１７に表示したり、図示しないスピーカにより音声で出力したりして報知し（ステップＳ１２３）ステップＳ１２４へ移行する。
【００７７】
たとえば、排紙済みの一番上の原稿が原紙である場合には、その旨を報知する。操作表示部１７に表示して報知する場合で、自動原稿送り装置７０の原稿トレイ７１に原稿が残っている場合には、上述した図１０と同様の表示を行うなどしてもよい。
【００７８】
また、排紙済みの中の上からＮ番目の原稿が原紙である場合には、その旨を報知する。操作表示部１７に表示して報知する場合には、「排紙されている中で上からＮ番目の紙が原紙です。」などのメッセージを表示するようにしてもよい。また、このときも自動原稿送り装置７０の原稿トレイ７１に原稿が残っている場合には、図１０に例示した続行ボタン６３と終了ボタン６４、および追加メッセージなどを併せて表示するようにしてもよい。
【００７９】
また、原紙を複数枚検知した場合には、それぞれの原紙の位置を報知する。操作表示部１７に表示して報知する場合には、各原紙の位置を、排紙済みの一番上、排紙済みの中の上からＮ番目、排紙済みの一番下などの排紙位置を示す表現を適宜組み合わせたメッセージなどで表示するようにしてもよい。また、このときも自動原稿送り装置７０の原稿トレイ７１に原稿が残っている場合には、図１０に例示した続行ボタン６３と終了ボタン６４、および追加メッセージなどを併せて表示するようにしてもよい。
【００８０】
自動原稿送り装置７０の原稿トレイ７１に原稿が残っていない場合には（ステップＳ１２４；Ｎｏ）、本サブ処理を終了してメイン処理に戻る（Ｒｅｔｕｒｎ）。原稿が残ってはいるが（ステップＳ１２４；Ｙｅｓ）、上記の終了ボタンが押下されるなどした場合には（ステップＳ１２５；Ｎｏ）、本サブ処理を終了してメイン処理に戻る（Ｒｅｔｕｒｎ）。上記の続行ボタンが押下されるなどした場合には（ステップＳ１２５；Ｙｅｓ）、ステップ１１２へ戻る。そして、前述の真贋判別処理における基本的な流れで説明したように、次の原稿の給紙とスキャン（ステップＳ１１２）、真贋判別（ステップＳ１１３）、およびそれ以降の処理ステップ（ステップＳ１１５〜）を同様に行う。
【００８１】
また、スキャン済み原稿に対する真贋判別で原紙を検知せず（ステップＳ１１５；Ｎｏ）、自動原稿送り装置７０の原稿トレイ７１に原稿が残っていない場合には（ステップＳ１２６；Ｎｏ）、ＣＰＵ１１は、原紙を検知しなかった旨を報知し（ステップＳ１３４）、本サブ処理を終了してメイン処理に戻る（Ｒｅｔｕｒｎ）。
【００８２】
原稿が残っている場合には（ステップＳ１２６；Ｙｅｓ）、ＣＰＵ１１は、コピーモードから真贋判別モードへの切り替えによって今回の真贋判別処理を実行しているかを確認する（ステップＳ１２７）。この場合は、コピーモードからの切り替えであるため（ステップＳ１２７；Ｙｅｓ）、ステップ１１２へ戻り、次の原稿の給紙（コピーモードから真贋判別モードへの切り替え時に一時停止した原稿の給紙動作の再開）とスキャン（ステップＳ１１２）、真贋判別（ステップＳ１１３）、およびそれ以降の処理ステップ（ステップＳ１１５〜）を同様に行う。
【００８３】
このように、本実施の形態に係る複合機１０は、動作モードとして、原稿の画像を読み取って取得した画像データの処理を行う複数の処理モード、詳細にはコピーモード、スキャナモード（Scan to E-mailモード、Scan to ＦＴＰモード、Scan to ＢＯＸモードなど）、ファクシミリモードなどと、原稿の画像を読み取って原稿の真贋判別を行う真贋判別モードとを備えていることにより、真贋判別専用の装置などに比べて、汎用性が増して使い勝手が向上する。特に、真贋判別モードへの切り替えについては、ユーザの選択による手動的な切り替えと、モード切替アシスト機能によるコピーモードからの自動的な切り替えとに対応している。さらにモード切替アシスト機能は、ユーザにより選択された真贋判別モードの解除およびコピーモードへの自動的な切り替えにも対応している。これにより、装置の利便性や操作性が向上する。
【００８４】
詳細には、前述したようにモード切替アシスト機能では、ユーザが真贋判別モードを選択してスキャンを開始した後に、連続してスキャンした原稿の画像が酷似していないと判断した場合には、ユーザにコピーモードへの切り替えを問い合わせる。ここでユーザが切り替え操作を行った場合には、真贋判別モードからコピーモードに切り替え、真贋判別モードにおける真贋判別処理でスキャンした原稿に対し、再スキャンを行うことなくコピー処理を実行する。また、スキャンしていない原稿が残っている場合には、その残り原稿に対し、継続してコピー処理を実行する。逆に、ユーザがコピーモードを選択してスキャンを開始した後に、連続してスキャンした原稿の画像が酷似していると判断した場合には、ユーザに真贋判別モードへの切り替えを問い合わせる。ここでユーザが切り替え操作を行った場合には、コピーモードから真贋判別モードに切り替え、コピーモードにおけるコピー処理でスキャンした原稿に対し、再スキャンを行うことなく真贋判別処理を実行する。また、スキャンしていない原稿が残っている場合には、その残り原稿に対し、継続して真贋判別処理を実行する。このようなモード切り替え操作のアシストを行うことにより、操作性が向上する。また、スキャン済みの原稿をモードの切り替え後に再スキャンする必要がないため、利便性も向上する。
【００８５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８６】
たとえば、実施の形態で説明したモード切替アシスト機能では、真贋判別モードからコピーモードへの切り替え、または、コピーモードから真贋判別モードへの切り替えを、ユーザに問い合わせ所定の操作（モード選択ボタンの押下）を受けてから行うようにしているが、このアシスト機能によるモードの切り替えは、ユーザに報知してから自動的に行うなどしてもよい。
【００８７】
また、モード切替アシスト機能によるコピーモードから真贋判別モードへの切り替えは、２枚以上連続して画像の酷似する原稿を読み取った場合に行うようにしてもよい。モード切替アシスト機能による真贋判別モードからコピーモードへの切り替えは、２枚以上連続して読み取った原稿の画像が酷似しない場合に行うようにしてもよい。
【００８８】
また、ユーザによる動作モードの選択は、操作表示部１７に設けられたモード選択ボタンを操作して行う場合を例に説明したが、このようなボタン操作に限らない。たとえば、複合機１０とネットワークで接続された端末などから行えるようにしてもよい。この場合は、ユーザが端末を通して選択した動作モードの情報を受信するネットワーク通信部１９がユーザから動作モードの選択を受け付ける選択部としての機能を果たすことになる。
【００８９】
また、実施の形態に係る複合機１０ではタッチパネル式の操作表示部１７が操作部（選択部）と表示部の機能を兼ね備えているが、この操作部と表示部とは個別に構成するようにしてもよい。複合機１０におけるプリンタ部２２は、レーザ光に代えてＬＥＤ（Light Emitting Diode）で感光体ドラムを走査露光するＬＥＤプリンタなどの他の方式のプリンタとしてもよい。
【００９０】
また本発明は、実施の形態で説明した複合機に限らず、複写機などの他の画像処理装置にも適用可能である。
【図面の簡単な説明】
【００９１】
【図１】本発明の実施の形態に係る画像処理装置としての複合機の概略構成を示すブロック図である。
【図２】本発明の実施の形態に係る複合機の操作表示部に真贋判別ボタンをソフトボタンとして設けた場合の一例を示す図である。
【図３】本発明の実施の形態に係る複合機の操作表示部に真贋判別ボタンをハードボタンとして設けた場合の一例を示す図である。
【図４】本発明の実施の形態に係る複合機が備える自動原稿送り装置の構成例を示す図である。
【図５】本発明の実施の形態に係る複合機が行うメイン処理を示す流れ図である。
【図６】図５のメイン処理における真贋判別処理を示す流れ図である。
【図７】図５のメイン処理におけるコピー処理を示す流れ図である。
【図８】図４の自動原稿送り装置における動作例を示す図である。
【図９】原稿の真贋判別により検知された原紙が自動原稿送り装置の排出ローラに挟まれた状態で停止している場合に操作表示部に表示される画面の一例を示す図である。
【図１０】原稿の真贋判別により検知された原紙が自動原稿送り装置の排出トレイに排紙されている場合に操作表示部に表示される画面の一例を示す図である。
【符号の説明】
【００９２】
１０…複合機（ＭＦＰ）
１１…ＣＰＵ
１２…バス
１３…ＲＯＭ
１４…ＲＡＭ
１５…不揮発メモリ
１６…ハードディスク装置（ＨＤＤ）
１７…操作表示部
１８…ファクシミリ通信部
１９…ネットワーク通信部
２０…原稿送り装置制御部
２１…スキャナ部
２２…画像処理部
２３…プリンタ部
５０…タッチパネルディスプレイ
５１…プリンタボタン
５２…スキャナボタン
５３…ファクシミリボタン
５４…コピーボタン
５５…スタートボタン
５６…Scan to E-mailボタン
５７…Scan to ＦＴＰボタン
５８…Scan to ＢＯＸボタン
５９…真贋判別ボタン
６０…メッセージ
６１…確認ボタン
６２…メッセージ
６３…続行ボタン
６４…終了ボタン
７０…自動原稿送り装置
７１…原稿トレイ
７２…搬送通路
７３…ピックアップローラ
７４…フィードローラ
７５…リタードローラ
７６…搬送ローラ
７７…排出ローラ
７８…原稿検知センサ
７９…排出トレイ
Ｎ…原稿
Ｓ…読取位置
【図１】
2010016437.tif 000003
【図３】
2010016437.tif 000004
【図４】
2010016437.tif 000005
【図５】
2010016437.tif 000006
【図６】
2010016437.tif 000007
【図７】
2010016437.tif 000008
【図８】
2010016437.tif 000009
【図９】
2010016437.tif 000010
【図１０】
2010016437.tif 000011
【図２】
2010016437.tif 000012